(57)【要約】【課題】ウォームアップ時間の短縮と消費電力の低減を図ることができる画像形成装置及びプログラムを提供する。【解決手段】マイコン１８１は、ユーザに選択された印刷の設定情報（即ち、ユーザに選択された用紙サイズ、用紙の種類及びモードの種類）に基づいて、定着器１６が画質調整開始可能状態に到達したときの定着器１６の待機温度（第１基準温度）を再設定し（Ｓ２）、印刷ジョブに基づいて、実際に印刷を実行するときの定着器１６の印刷温度（第２基準温度）を再設定し（Ｓ６）、電源が投入された場合又は節電モードが解除された場合に、定着器１６の温度が待機温度になるように、定着器１６に供給される電力を制御すると共に、印刷指示が入力された場合に、定着器１６の温度が印刷温度になるように、定着器１６に供給される電力を制御する（Ｓ３、Ｓ９）。【選択図】図５
2010145907.tif 000002
【特許請求の範囲】
【請求項１】
ユーザに選択された印刷の設定情報に基づいて、定着器が画質調整開始可能状態に到達したときの前記定着器の第１基準温度を再設定する第１再設定手段と、
印刷ジョブに基づいて、実際に印刷を実行するときの前記定着器の第２基準温度を再設定する第２再設定手段と、
電源が投入された場合又は節電モードが解除された場合に、前記定着器の温度が前記第１基準温度になるように、前記定着器に供給される電力を制御すると共に、印刷指示が入力された場合に、前記定着器の温度が前記第２基準温度になるように、前記定着器に供給される電力を制御する制御手段と
を備えることを特徴とする画像形成装置。
【請求項２】
用紙サイズ、用紙の種類及び白黒／カラーモードの種類のセット毎に前記第１基準温度を指定する第１テーブル情報、前記用紙サイズ、前記用紙の種類及び前記白黒／カラーモードの種類のセット毎に前記第２基準温度を指定する第２テーブル情報を記憶する記憶手段を備え、
前記第１再設定手段は、前記第１テーブル情報内のユーザに選択されたセットに応じて前記第１基準温度を再設定することを特徴とする請求項１に記載の画像形成装置。
【請求項３】
前記第２決定手段は、前記印刷ジョブにより前記第２テーブル情報内の選択されたセットに応じて前記第２基準温度を再設定することを特徴とする請求項２に記載の画像形成装置。
【請求項４】
前記第１テーブル情報は、画質調整の種類毎に前記第１基準温度を補正する第１補正温度が規定されており、
前記第１決定手段は、前記第１テーブル情報内のユーザに選択されたセット及び第１補正温度に応じて前記第１基準温度を再設定することを特徴とする請求項２又は３に記載の画像形成装置。
【請求項５】
前記第２テーブル情報は、像密度の範囲毎に前記第２基準温度を補正する第２補正温度が規定されており、
前記第２決定手段は、前記印刷ジョブにより前記第２テーブル情報内の選択されたセット及び像密度の値に応じて前記第２基準温度を再設定することを特徴とする請求項２乃至４のいずれか１項に記載の画像形成装置。
【請求項６】
前記第１基準温度の再設定及び前記第２基準温度の再設定のうち少なくともいずれか一方の実行又は中止を選択する選択手段を備えることを特徴とする請求項１乃至５のいずれか１項に記載の画像形成装置。
【請求項７】
画像形成装置を、
ユーザに選択された印刷の設定情報に基づいて、定着器が画質調整開始可能状態に到達したときの前記定着器の第１基準温度を再設定する第１再設定手段、
印刷ジョブに基づいて、実際に印刷を実行するときの前記定着器の第２基準温度を再設定する第２再設定手段、及び
電源が投入された場合又は節電モードが解除された場合に、前記定着器の温度が前記第１基準温度になるように、前記定着器に供給される電力を制御すると共に、印刷指示が入力された場合に、前記定着器の温度が前記第２基準温度になるように、前記定着器に供給される電力を制御する制御手段
として機能させることを特徴とするプログラム。
【発明の詳細な説明】
【技術分野】
【０００１】
本発明は、画像形成装置及びプログラムに関する。
【背景技術】
【０００２】
従来より、定着装置の加熱ローラのウォーミングアップ時間を装置周辺の環境の変化に関わらず常に適切に短縮させ、かつウォーミングアップ時におこる加熱ローラ表面のオーバーシュートを低減する画像形成装置が知られている（例えば、特許文献１参照）。
【０００３】
特許文献１の画像形成装置は、加熱ローラ８の表面の温度を検出する温度センサ９とあらかじめ設定している印字温度とを比較し、発熱体７のＯＮ・ＯＦＦを制御部１２により制御する。また、この画像形成装置では、温度上昇率を算出し印字温度到達時刻を推測して、加熱ローラ８の表面温度が印字温度に到達する時刻に記録紙１を加熱ローラ８に搬送させるように記録紙１を給紙させる。
【特許文献１】特開平６−３０１２５５号公報
【発明の開示】
【発明が解決しようとする課題】
【０００４】
本発明の目的は、ウォームアップ時間の短縮と消費電力の低減を図ることができる画像形成装置及びプログラムを提供することにある。
【課題を解決するための手段】
【０００５】
上記目的を達成するため、請求項１の画像形成装置は、ユーザに選択された印刷の設定情報に基づいて、定着器が画質調整開始可能状態に到達したときの前記定着器の第１基準温度を再設定する第１再設定手段と、印刷ジョブに基づいて、実際に印刷を実行するときの前記定着器の第２基準温度を再設定する第２再設定手段と、電源が投入された場合又は節電モードが解除された場合に、前記定着器の温度が前記第１基準温度になるように、前記定着器に供給される電力を制御すると共に、印刷指示が入力された場合に、前記定着器の温度が前記第２基準温度になるように、前記定着器に供給される電力を制御する制御手段とを備えることを特徴とする。
【０００６】
請求項２の画像形成装置は、請求項１に記載の画像形成装置において、用紙サイズ、用紙の種類及び白黒／カラーモードの種類のセット毎に前記第１基準温度を指定する第１テーブル情報、前記用紙サイズ、前記用紙の種類及び前記白黒／カラーモードの種類のセット毎に前記第２基準温度を指定する第２テーブル情報を記憶する記憶手段を備え、前記第１再設定手段は、前記第１テーブル情報内のユーザに選択されたセットに応じて前記第１基準温度を再設定することを特徴とする。
【０００７】
請求項３の画像形成装置は、請求項２に記載の画像形成装置において、前記第２決定手段は、前記印刷ジョブにより前記第２テーブル情報内の選択されたセットに応じて前記第２基準温度を再設定することを特徴とする。
【０００８】
請求項４の画像形成装置は、請求項２又は３に記載の画像形成装置において、前記第１テーブル情報は、画質調整の種類毎に前記第１基準温度を補正する第１補正温度が規定されており、前記第１決定手段は、前記第１テーブル情報内のユーザに選択されたセット及び第１補正温度に応じて前記第１基準温度を再設定することを特徴とする。
【０００９】
請求項５の画像形成装置は、請求項２乃至４のいずれか１項に記載の画像形成装置において、前記第２テーブル情報は、像密度の範囲毎に前記第２基準温度を補正する第２補正温度が規定されており、前記第２決定手段は、前記印刷ジョブにより前記第２テーブル情報内の選択されたセット及び像密度の値に応じて前記第２基準温度を再設定することを特徴とする。
【００１０】
請求項６の画像形成装置は、請求項１乃至５のいずれか１項に記載の画像形成装置において、前記第１基準温度の再設定及び前記第２基準温度の再設定のうち少なくともいずれか一方の実行又は中止を選択する選択手段を備えることを特徴とする。
【００１１】
請求項７のプログラムは、画像形成装置を、ユーザに選択された印刷の設定情報に基づいて、定着器が画質調整開始可能状態に到達したときの前記定着器の第１基準温度を再設定する第１再設定手段、印刷ジョブに基づいて、実際に印刷を実行するときの前記定着器の第２基準温度を再設定する第２再設定手段、及び電源が投入された場合又は節電モードが解除された場合に、前記定着器の温度が前記第１基準温度になるように、前記定着器に供給される電力を制御すると共に、印刷指示が入力された場合に、前記定着器の温度が前記第２基準温度になるように、前記定着器に供給される電力を制御する制御手段として機能させることを特徴とする。
【発明の効果】
【００１２】
請求項１の発明によれば、ウォームアップ時間の短縮と消費電力の低減を図ることができる。
【００１３】
請求項２の発明によれば、用紙サイズ、用紙の種類又は白黒／カラーモードの種類に応じて第１基準温度を変更することができる。
【００１４】
請求項３の発明によれば、用紙サイズ、用紙の種類又は白黒／カラーモードの種類に応じて第２基準温度を変更することができる。
【００１５】
請求項４の発明によれば、用紙サイズ、用紙の種類、白黒／カラーモードの種類及び画質調整の種類に応じて第１基準温度を変更することができる。
【００１６】
請求項５の発明によれば、用紙サイズ、用紙の種類、白黒／カラーモードの種類及び像密度の値に応じて第２基準温度を変更することができる。
【００１７】
請求項６の発明によれば、必要に応じて第１基準温度の再設定及び前記第２基準温度の再設定を実行したり、又は中止することができる。
【００１８】
請求項７の発明によれば、ウォームアップ時間の短縮と消費電力の低減を図ることができる。
【発明を実施するための最良の形態】
【００１９】
以下、本発明の実施の形態について、図面を参照して説明する。
【００２０】
図１は、本発明の実施の形態に係る画像形成装置の構成を示す図である。
【００２１】
画像形成装置１は、カラープリンターで構成されており、トナーカートリッジ１１Ｙ，１１Ｍ，１１Ｃ，１１Ｋ、画像形成ユニット１２Ｙ，１２Ｍ，１２Ｃ，１２Ｋ、中間転写ベルト１３、ベルトクリーナー１４、２次転写部１５、定着器１６、給紙部１７、制御部１８、温度計１９、及び湿度計２０を備えている。また、画像形成ユニット１２Ｙ，１２Ｍ，１２Ｃ，１２Ｋの各々は、感光体２１、一次転写部２２、クリーナー２３、帯電器２４、潜像形成部２５、現像部２６、膜厚検知センサー２７及び操作部２８を備えている。
【００２２】
制御部１８は、画像形成ユニット１２Ｙ，１２Ｍ，１２Ｃ，１２Ｋ、中間転写ベルト１３、２次転写部１５、及び定着器１６を駆動する複数のモータ（不図示）と接続されている。また、制御部１８は、感光体２１の膜厚を検出する膜厚検知センサー２７、装置内の温度を測定する温度計１９、装置内の湿度を測定する湿度計２０、及び指示を入力する操作部２８と接続されている。
【００２３】
トナーカートリッジ１１Ｙ，１１Ｍ，１１Ｃ，１１Ｋは、画像形成ユニット１２Ｙ，１２Ｍ，１２Ｃ，１２Ｋに含まれる現像部２６に現像剤（トナー）を供給する。
【００２４】
制御部１８が印刷すべき画像データを受信すると、帯電器２４が感光体２１を帯電し、潜像形成部２５が感光体２１を露光し、静電潜像を形成する。現像部２６は、現像剤（トナー）を感光体２１上に供給し、一次転写部２２は感光体２１上に現像されたトナー像を中間転写ベルト１３に転写する。感光体２１上に残ったトナーは、クリーナー２３によって回収される。
【００２５】
このような処理が、中間転写ベルト１３が回転されながら、画像形成ユニット１２Ｙ，１２Ｍ，１２Ｃ，１２Ｋの各々で実行される。これにより、Ｙ（イエロー）、Ｍ（マジェンダ）、Ｃ（シアン）、Ｋ（ブラック）の各色のトナー像が中間転写ベルト１３の所定の位置で互いに重なるように形成される。ベルトクリーナー１４は、中間転写ベルト１３上に残ったトナーを回収する。
【００２６】
そして、２次転写部１５が、給紙部１７から搬送された用紙に、中間転写ベルト１３上のトナー像を転写し、定着器１６がトナー像を用紙に定着する。トナー像が定着された用紙は、搬送路を経由して、装置外に排出される。
【００２７】
図２（Ａ）は、制御部１８の構成を示す図であり、図２（Ｂ）は、定着器１６の構成を示す図である。
【００２８】
図２（Ａ）において、制御部１８は、マイコン１８１（第１再設定手段、第２再設定手段、制御手段及び選択手段）及びメモリ１８２（記憶手段）を備えている。マイコン１８１は、各種の算出処理を実行したり、不図示のモータの駆動を制御する。メモリ１８２は、不揮発性のＲＯＭ又はハードディスク等で構成されており、各種のデータやプログラムを記憶している。
【００２９】
図２（Ｂ）において、定着器１６は、ヒートローラ１６１及びプレッシャーローラ１６２を備えている。ヒートローラ１６１の内部には、ヒートローラ１６１とプレッシャーローラ１６２との間を通過するトナーが転写された用紙を加熱するメインランプ１６４及びサブランプ１６５が設けられている。また、プレッシャーローラ１６２上には定着器１６の温度を測定する温度センサ１６３が設けられている。
【００３０】
制御部１８のマイコン１８１は、温度センサ１６３、メインランプ１６４及びサブランプ１６５に接続されており、温度センサ１６３の測定温度の情報を取得し、メインランプ１６４及びサブランプ１６５の点灯の開始及び終了を制御する。
【００３１】
図３（Ａ），（Ｂ）は、一般的な画像形成装置で実行される画質調整処理及び定着器の加熱処理における温度と時間との関係を示す図であり、図３（Ｃ）は画像形成装置１で実行される画質調整処理及び定着器１６の加熱処理における温度と時間との関係を示す図である。
【００３２】
図３（Ａ）〜（Ｃ）に示すように、一般的な画像形成装置及び画像形成装置１では、電源投入又は節電解除からスタートボタン（印刷開始ボタン）が押下できる状態（スタートボタン押下可能状態）までの間に、即ち、ウォームアップ時間に、画質調整処理及び定着器１６の加熱処理が実行される。
【００３３】
画質調整処理とは、トナーカートリッジ１１Ｙ，１１Ｍ，１１Ｃ，１１Ｋから画像形成ユニット１２Ｙ，１２Ｍ，１２Ｃ，１２Ｋへ自動でトナーを入れ替える処理、感光体２１を交換する処理、画像の濃度を調整する処理、及びトナー像の位置ズレを調整する処理などを含む。
【００３４】
図３（Ａ）〜（Ｃ）において、待機温度（第１基準温度）は、画質調整開始可能状態に到達するときの定着器１６の温度を示し、印刷温度（第２基準温度）とは、実際に印刷を実行するときの定着器１６の温度を示す。定着器１６の温度は、温度センサ１６３により測定され、定着器１６の温度情報はマイコン１８１に送信される。尚、図３（Ａ），（Ｂ）の一般的な画像形成装置では、待機温度は８０度に固定されており、印刷温度は１７０度に固定されている。図３（Ｃ）の画像形成装置１では、待機温度は８０度に設定されており、印刷温度は１７０度に設定されている。
【００３５】
図３（Ａ）の一般的な画像形成装置では、定着器１６の加熱処理を実行する間、例えば全体の９０％の電力が定着器１６へ供給され、定着器１６の温度は待機温度に到達する。その後、画質調整処理を実行する間、定着器１６の温度を維持するため、例えば、全体の１０％の電力が定着器１６へ供給される。
【００３６】
図３（Ｂ）の一般的な画像形成装置では、画質調整処理及び定着器１６の加熱処理が同一のタイミングで終了するように、画質調整処理及び定着器１６の加熱処理が実行される。画質調整処理のみが実行されている間は、電力が定着器１６へ供給されず、画質調整処理及び定着器１６の加熱処理の実行中は、例えば、全体の４０％の電力が定着器１６へ供給される。
【００３７】
図４（Ａ）は、待機温度を調整する際に使用される第１テーブル情報を示し、図４（Ｂ）は、印刷温度を調整する際に使用される第２テーブル情報を示す。第１テーブル情報及び第２テーブル情報はメモリ１８２に格納されている。
【００３８】
第１テーブル情報では、用紙サイズ、用紙の種類、及びモードの種類（白黒／カラー）のセット毎に定着器１６の仮待機温度が指定されており、画質調整の種類毎に仮待機温度を補正する補正温度が指定されている。定着器１６の待機温度は、定着器１６の仮待機温度に補正温度を可算することにより算出される。第２テーブル情報では、用紙サイズ、用紙の種類、及びモードの種類（白黒／カラー）のセット毎に定着器１６の仮印刷温度が指定されており、像密度の範囲毎に仮印刷温度を補正する補正温度が指定されている。定着器１６の印刷温度は、定着器１６の仮印刷温度に補正温度を可算することにより算出される。
【００３９】
また、第１テーブル情報及び第２テーブル情報では、用紙サイズ及び用紙の種類が同一である場合、白黒モードは、カラーモードよりも使用されるトナー量が少ないため、白黒モードの仮待機温度及び仮印刷温度は、カラーモードの仮待機温度及び仮印刷温度よりも低い。また、用紙の種類及びモードの種類が同一である場合、用紙サイズが小さいほど仮待機温度及び仮印刷温度が低い。また、用紙サイズ及びモードの種類が同一である場合、用紙が厚くなるほど、仮待機温度及び仮印刷温度が高い。
【００４０】
尚、第１テーブル情報及び第２テーブル情報は、補正温度を決定するためのテーブルが含まれているが、この補正温度を決定するためのテーブルは含まれていなくてもよい。この場合、定着器１６の待機温度は、第１テーブル情報の仮待機温度に対応し、定着器１６の印刷温度は、第２テーブル情報の仮印刷温度に対応する。
【００４１】
図３（Ｃ）の画像形成装置１では、マイコン１８１が、メモリ１８２に格納されている第１テーブル情報を読み出し、第１テーブル情報及びユーザにより選択された、用紙サイズ、用紙の種類、モードの種類（白黒／カラー）及び画質調整の種類に基づいて、待機温度を再設定する。
【００４２】
ユーザは、不図示の印刷ドライバ又は操作部２８により、用紙サイズ、用紙の種類、モードの種類及び画質調整の種類を選択する。ユーザに選択された設定内容は、メモリ１８２に格納され、画像形成装置１の起動時にマイコン１８１がこの設定内容に基づいて待機温度を自動再設定する。また、ユーザは、不図示の印刷ドライバ又は操作部２８により、設定内容を変更してもよい。
【００４３】
マイコン１８１は、再設定された待機温度になるように、定着器１６へ供給される電力を制御する。待機温度に基づいて画質調整処理及び定着器１６の加熱処理が実行されている間に、マイコン１８１は、印刷ジョブを受信し、メモリ１８２に格納されている第２テーブル情報を読み出す。そして、マイコン１８１は、第２テーブル情報及び印刷ジョブで指定されている用紙サイズ、用紙の種類、モードの種類（白黒／カラー）及び像密度に基づいて、印刷温度を再設定する。像密度とは、用紙サイズに対する画像（トナー像）のサイズの割合である。
【００４４】
画質調整処理及び定着器１６の加熱処理が終了すると、マイコン１８１は、再設定された印刷温度になるように、定着器１６へ供給される電力を制御する。
【００４５】
このように、画像形成装置１では、待機温度及び印刷温度が、用紙サイズ、用紙の種類及びモードの種類（白黒／カラー）に基づいて変更される。また、図４（Ａ）に示すように、待機温度は、画質調整の種類に基づいて補正される。図４（Ｂ）に示すように、印刷温度は、像密度に基づいて補正される。
【００４６】
また、図３（Ｃ）の画像形成装置１では、第１テーブル情報及び第２テーブル情報に基づいて、必要かつ十分な待機温度及び印刷温度に変更されるので、図３（Ａ）（Ｂ）の一般的な画像形成装置よりも消費電力が低減され、ウォームアップ時間が短縮される。
【００４７】
図５は、画像形成装置１で実行される処理を示すフローチャートである。本処理では、待機温度はメモリ１８２に格納されているコンフィギュレーション情報（例えば、使用される給紙部と待機温度との関係を示す情報）に従って８０度に設定されており、印刷温度は１７０度に設定されているものとする。
【００４８】
まず、制御部１８のマイコン１８１は、電源が投入される又は節電モードが解除されると、メモリ１８２に格納されている第１テーブル情報を読み出し、第１テーブル情報及びユーザにより選択された、用紙サイズ、用紙の種類及びモードの種類（白黒／カラー）に基づいて仮待機温度を再設定し（ステップＳ１）、さらにユーザにより選択された画質調整の種類に基づいて、待機温度を再設定する（ステップＳ２）。その後、マイコン１８１は、定着器１６の温度が再設定された待機温度になるように、定着器１６へ供給される電力を制御する（ステップＳ３）。
【００４９】
次に、待機温度に基づいて画質調整処理及び定着器１６の加熱処理が実行されている間に、マイコン１８１は、印刷ジョブを受信し、メモリ１８２に格納されている第２テーブル情報を読み出す（ステップＳ４）。マイコン１８１は、第２テーブル情報及び印刷ジョブで指定されている用紙サイズ、用紙の種類及びモードの種類（白黒／カラー）に基づいて、仮印刷温度を再設定し（ステップＳ５）、さらに印刷ジョブの像密度に基づいて、印刷温度を再設定する（ステップＳ６）。
【００５０】
その後、マイコン１８１は、温度センサ１６３の測定温度が待機温度に到達したか、即ち画質調整処理及び定着器１６の加熱処理が終了したか否かを判別する（ステップＳ７）。
【００５１】
ステップＳ７でＮＯの場合には、当該判別を繰り返す。一方、ステップＳ７でＹＥＳの場合には、マイコン１８１は、スタートボタン（印刷開始ボタン）が押下されたか否かを判別する（ステップＳ８）。
【００５２】
ステップＳ８でＮＯの場合には、当該判別を繰り返す。一方、ステップＳ８でＹＥＳの場合には、マイコン１８１は、定着器１６の温度が再設定された印刷温度になるように、定着器１６へ供給される電力を制御する（ステップＳ９）。温度センサ１６３の測定温度が印刷温度に到達すると、画像形成ユニット１２Ｙ，１２Ｍ，１２Ｃ，１２Ｋが印刷処理を実行し（ステップＳ１０）、本処理は終了する。
【００５３】
以上詳細に説明したように、本実施の形態によれば、マイコン１８１は、ユーザに選択された印刷の設定情報（即ち、ユーザに選択された用紙サイズ、用紙の種類及びモードの種類）に基づいて、定着器１６が画質調整開始可能状態に到達したときの定着器１６の待機温度（第１基準温度）を再設定し（ステップＳ２）、印刷ジョブに基づいて、実際に印刷を実行するときの定着器１６の印刷温度（第２基準温度）を再設定し（ステップＳ６）、電源が投入された場合又は節電モードが解除された場合に、定着器１６の温度が待機温度になるように、定着器１６に供給される電力を制御すると共に、印刷指示が入力された場合に、定着器１６の温度が印刷温度になるように、定着器１６に供給される電力を制御する（ステップＳ３、Ｓ９）。よって、一般的な画像形成装置よりも消費電力が低減され、ウォームアップ時間が短縮される。
【００５４】
上記実施の形態では、画像形成装置１は、カラープリンターで構成されているが、画像形成装置１は、コピー機、白黒プリンター、ファクシミリ、又はコピー機能、プリント機能及びファクシミリ機能を有する複合機で構成されていてもよい。
【００５５】
画像形成装置１は、さらに画質調整処理を印刷前に実行する画質優先モード及び画質調整処理を印刷前に実行しない速度優先モードを備えていてもよい。この場合、マイコン１８１は、速度優先モードが選択されている場合に、印刷温度の再設定の工程（ステップＳ４、Ｓ５、Ｓ６、Ｓ９）を実行し、画質優先モードが選択されている場合に、印刷温度の再設定の工程を実行しないようにしてもよい。
【００５６】
また、マイコン１８１は、待機温度の再設定の工程（ステップＳ１〜Ｓ３）のみを中止したり、印刷温度の再設定の工程（ステップＳ４、Ｓ５、Ｓ６、Ｓ９）のみを中止してもよい。即ち、マイコン１８１は、待機温度の再設定の工程及び／又は印刷温度の再設定の工程の実行又は中止を選択する。
【００５７】
画像形成装置１の機能を実現するためのソフトウェアのプログラムが記録されている記録媒体を、画像形成装置１に供給し、マイコン１８１が記憶媒体に格納されたプログラムを読み出し実行することによっても、上記実施の形態と同様の効果を奏する。プログラムを供給するための記憶媒体としては、例えば、ＣＤ−ＲＯＭ、ＤＶＤ、又はＳＤカードなどがある。
【００５８】
画像形成装置１のマイコン１８１が、画像形成装置１の機能を実現するためのソフトウェアのプログラムを実行することによっても、上記実施の形態と同様の効果を奏する。
【００５９】
なお、本発明は、上述した実施の形態に限定されるものではなく、その要旨を逸脱しない範囲内で種々変形して実施することが可能である。
【図面の簡単な説明】
【００６０】
【図１】本発明の実施の形態に係る画像形成装置の構成を示す図である。
【図２】（Ａ）は、制御部１８の構成を示す図であり、（Ｂ）は、定着器１６の構成を示す図である。
【図３】（Ａ），（Ｂ）は、一般的な画像形成装置で実行される画質調整処理及び定着器の加熱処理における温度と時間との関係を示す図であり、（Ｃ）は、画像形成装置１で実行される画質調整処理及び定着器１６の加熱処理における温度と時間との関係を示す図である。
【図４】（Ａ）は、待機温度を調整する際に使用される第１テーブル情報を示す図であり、（Ｂ）は、印刷温度を調整する際に使用される第２テーブル情報を示す図である。
【図５】画像形成装置１で実行される処理を示すフローチャートである。
【符号の説明】
【００６１】
１  画像形成装置
１１Ｙ，１１Ｍ，１１Ｃ，１１Ｋ  トナーカートリッジ
１２Ｙ，１２Ｍ，１２Ｃ，１２Ｋ  画像形成ユニット
１３  中間転写ベルト
１４  ベルトクリーナー
１５  ２次転写部
１６  定着器
１７  給紙部
１８  制御部
１９  温度計
２０  湿度計
２１  感光体
２２  一次転写部
２３  クリーナー
２４  帯電器
２５  潜像形成部
２６  現像部
１８１  マイコン
１８２  メモリ
【図１】
2010145907.tif 000003
【図２】
2010145907.tif 000004
【図３】
2010145907.tif 000005
【図４】
2010145907.tif 000006
【図５】
2010145907.tif 000007